(57)【要約】【課題】感光材料に対する出力機からの露光量の確認およびその設定作業を簡便にし、特別な知識や技術がなくても適正露光量を設定できる感光材料に対する適性露光量の管理システムを提供するものである。【解決手段】感光材料の銘柄に実装された製造ロット番号を記録した非接触ＩＣチップと；該非接触ＩＣチップに記録された製造ロット番号情報を読み取るリーダライタ端末と；該リーダライタ端末により読み込まれた該非接触ＩＣチップの製造ロット番号情報と、ラスター・イメージ・プロセッサ装置（以下、ＲＩＰ装置と略す）に記録された出力機種情報とをサーバコンピュータへ送信、および該サーバコンピュータからの適正露光値を受信し、この適正露光値に基づき露光量設定されるＲＩＰ装置と；該ＲＩＰ装置からの製造ロット番号情報および出力機情報を受信・解析・適正露光値の送信を行うサーバコンピュータおよびデータベースと；を備えることを特徴とする感光材料に対する適正露光量の管理システム。【選択図】  図１
2005208381.tif 000002
【特許請求の範囲】
【請求項１】
感光材料の銘柄に実装された製造ロット番号を記録した非接触ＩＣチップと；
該非接触ＩＣチップに記録された製造ロット番号情報を読み取るリーダライタ端末と；
該リーダライタ端末により読み込まれた該非接触ＩＣチップの製造ロット番号情報と、ラスター・イメージ・プロセッサ装置（以下、ＲＩＰ装置と略す）に記録された出力機種情報とをサーバコンピュータへ送信、および該サーバコンピュータからの適正露光値を受信し、この適正露光値に基づき露光量設定されるＲＩＰ装置と；
該ＲＩＰ装置からの製造ロット番号情報および出力機種情報を受信・解析・適正露光値の送信を行うサーバコンピュータおよびデータベースと；
を備えることを特徴とする感光材料に対する適正露光量の管理システム。
【発明の詳細な説明】
【技術分野】
【０００１】
本発明は、感光材料に対する出力機からの露光量の確認およびその設定作業を簡便にし、特別な知識や技術がなくても適正露光量を設定できる感光材料に対する適性露光量の管理システムに関するものである。
【背景技術】
【０００２】
印刷用のデータを作成する方法において、ＤＴＰ（ＤｅｓｋＴｏｐ  Ｐｕｂｌｉｓｈｉｎｇ）と呼ばれる出版物のデザイン・レイアウトをパソコン上で行う方法があり、ページプリンタやスキャナが高性能化・低価格化したことに加え、ＰｏｓｔＳｃｒｉｐｔを中心としたアウトラインフォント環境の整備、ＰａｇｅＭａｋｅｒ、ＱｕａｒｋＸＰｒｅｓｓ、ＩｎＤｅｓｉｇｎなどのＤＴＰソフトおよびパソコンの進化によって、現在では印刷物の作成はほとんどＤＴＰで行われている。
【０００３】
上記のＤＴＰで作成されたデータは、次にデジタルな製版工程で印刷用の刷版が作成される。この製版工程においては、ＣＴＦ（コンピュータｔｏフィルム）とＣＴＰ（コンピュータｔｏプレート）と呼ばれる方法が一般的に行われている。
【０００４】
ＣＴＦは、ＤＴＰからのデータをＲＩＰ（ラスター・イメージ・プロセッサ）と呼ばれる装置でビットマップデータに変換し、このデータを出力機でレーザーにより感光材料（フィルム）を露光出力して、フィルム現像機で現像する。このフィルムとＰＳ版と呼ばれるアルミ版と重ね合わせて露光し、このＰＳ版をＰＳ版用現像機で現像して印刷用の刷版ができ上がる。
【０００５】
ＣＴＰも同様に、ＲＩＰにてビットマップデータに変換し、このデータを出力機でレーザーにより感光材料（アルミベース・フレキシブルベース）を露光出力して、現像機で現像することで直接印刷用の刷版を作成することができる。
【０００６】
そして、ＣＴＦおよびＣＴＰでの出力機では、使用する感光材料に合った露光値をＲＩＰに設定することになり、感光材料の銘柄と出力機種の組み合わせで露光量が決まることになる。
【０００７】
また感光材料は特に高い分光増感感度が要求されるため、感光材料の製造工程おいて表面に塗布する乳剤の製造ロット間の感度差や、保管中での感度の変動により、感光材料の適正露光量は多少変動してしまうことがある。このときに出力機の露光量の設定が従来のままで適正でない場合、その条件で出力された刷版で印刷をすると、刷版上の画像部の耐刷性やインキ着肉性に関する印刷適正不良が起きてしまうことがある。
【０００８】
その露光量を判断する方法の一例は、刷版上に網点画像を出力・現像し、この網点面積率を測定してデータ上の網点面積率と測定した刷版上の網点面積率が同一になったときの露光量が適正な露光量となる。
【０００９】
この出力機からの出力時における適正露光量の確認およびその設定は、感光材料の出力毎または定期的に行うことが一般的であった（例えば、特許文献１参照）。
【特許文献１】特開平１０−２５４０７７号公報
【発明の開示】
【発明が解決しようとする課題】
【００１０】
本発明の目的は、感光材料に対する出力機からの露光量の確認およびその設定作業を簡便にし、特別な知識や技術がなくても適正露光量を設定できる感光材料に対する適性露光量の管理システムを提供するものである。
【課題を解決するための手段】
【００１１】
上述した問題点を解決するために、鋭意検討した結果、本発明の感光材料に対する適正露光量の管理システムを発明するに至った。
【００１２】
すなわち、本発明における感光材料に対する適正露光量の管理システムは、
感光材料の銘柄に実装された製造ロット番号を記録した非接触ＩＣチップと；
該非接触ＩＣチップに記録された製造ロット番号情報を読み取るリーダライタ端末と；
該リーダライタ端末により読み込まれた該非接触ＩＣチップの製造ロット番号情報と、ラスター・イメージ・プロセッサ装置（以下、ＲＩＰ装置と略す）に記録された出力機種情報とをサーバコンピュータへ送信、および該サーバコンピュータからの適正露光値を受信し、この適正露光値に基づき露光量設定されるＲＩＰ装置と；
該ＲＩＰ装置からの製造ロット番号情報および出力機種情報を受信・解析・適正露光値の送信を行うサーバコンピュータおよびデータベースと；
を備えることを特徴とするものである。
【発明の効果】
【００１３】
本発明における感光材料に対する適正露光量の管理システムによれば、出力機からの感光材料の露光に当たって、適正露光の確認およびその設定作業が簡便となり、特別な知識や技術がなくても適正露光量の設定が可能になる。
【発明を実施するための最良の形態】
【００１４】
本発明のおける実施態様について、図面を用いて説明する。
【００１５】
図１は、本発明における感光材料に対する適正露光量の管理システムの一実施態様を示す説明図である。ここで、出力機１、感光材料の製造ロット番号が記録された非接触ＩＣチップ２、リーダライタ端末３、ＲＩＰ装置４、サーバコンピュータ５、データベース６、ＤＴＰ作業用パーソナルコンピュータ７、ＤＴＰ工程からのデータがラスタライズされたデータ、およびサーバコンピュータデータベースからの適正露光量の情報をもとにした出力機の露光量の制御信号８である。
【００１６】
図１について、具体的に説明する。出力機１の使用者は、感光材料に出力するために出力機、ＲＩＰなどの機器の起動を行い、必要に応じて関連ソフトウエアも起動する。
【００１７】
感光材料の製造ロット番号についての情報を取得するために、感光材料の銘柄に実装された非接触ＩＣチップ２に記録された製造ロット番号をリーダライタ端末３が読み取る。さらに具体的には、フレキシブル感光材料であれば、その紙管内に製造ロット番号を記録した非接触ＩＣチップを実装し、出力機内の任意の場所に設置されたリーダライタ端末で読み取るか、もしくは感光材料を入れる梱包材に非接触ＩＣチップを実装し、任意の場所に設置したリーダライタ端末に非接触ＩＣチップ部分をかざして製造ロット番号を読み取るなどの方法がある。
【００１８】
また、アルミ板感光材料であれば、感光材料を入れる梱包材に非接触ＩＣチップを実装し、任意の場所に設置したリーダライタ端末に非接触ＩＣチップ部分をかざして製造ロット番号を読み取るなどの方法がある。
【００１９】
リーダライタ端末によって読み取られた製造ロット番号の情報３ａは、ＲＩＰ装置４により出力機種情報３ｂがプラスされ、インターネットを通じて専用のサーバコンピュータ５に接続して情報を送信する。
【００２０】
製造ロット番号および出力機種の情報を受信したサーバコンピュータは、出力機種と感光材料の製造ロット番号毎の適正露光量が記録されたデータベース６を検索し、その結果となる適正露光量を問い合わせのあったＲＩＰ装置に対して返す。
【００２１】
サーバコンピュータからの適正露光量を受け取ったＲＩＰ装置では、露光量設定項目が適正露光量に基づき自動的に設定される。
【００２２】
ＤＴＰ作業用パーソナルコンピュータ７は、ＲＩＰ装置に対して制作した印刷用データを送る。そして、出力解像度、線数、露光位置、スクリーンの種類などの通常の出力設定を行った後に出力を実行すると、ＲＩＰ装置では印刷用データがビットマップデータに変換され、これと共に出力機に対する感光材料の適正露光量の制御信号８が出力機１に送られ、感光材料が露光される。
【００２３】
図２は、本発明における感光材料に対する適正露光量の管理システムの他の実施態様を示す説明図であり、図２は本発明における簡易的な実施態様を示すものである。ここで、出力機の使用者は、感光材料を出力する前にインターネットに接続されたパーソナルコンピュータ２１から専用のサーバコンピュータ２２にアクセスして、このＷｅｂページ内の出力機種および感光材料の製造ロット番号の入力項目に対して必要事項を記入し、検索を実行すると、サーバコンピュータは出力機種と感光材料の製造ロット番号毎の適正露光量が記録されたデータベース６を検索し、その結果となる適正露光量をＷｅｂページ内に表示する。
【００２４】
その表示された適正露光量をＲＩＰ装置の露光量設定画面に対して入力し、露光量の設定を完了させ、通常の出力設定の後に実際の印刷用データを出力する。
【産業上の利用可能性】
【００２５】
感光材料に対する出力機からの露光量の確認およびその設定作業を簡便にし、適正露光量を設定できる感光材料に対する適性露光量の管理システムに適用できるものである。
【図面の簡単な説明】
【００２６】
【図１】本発明における感光材料に対する適正露光量の管理システムの一実施態様を示す説明図である。
【図２】本発明における感光材料に対する適正露光量の管理システムの他の実施態様を示す説明図である。
【符号の説明】
【００２７】
１  出力機（イメージセッターまたはプレートセッター）
２  感光材料の製造ロット番号が記録された非接触ＩＣチップ
３  リーダライタ端末
３ａ  非接触ＩＣチップから読み取られた感光材料の製造ロット番号の情報
３ｂ、３ｃ  非接触ＩＣチップから読み取られた感光材料の製造ロット番号の情報およびＲＩＰ装置からの出力機種情報
４  ＲＩＰ装置
５  ２２  サーバコンピュータ
６  ２３  データベース
６ａ、６ｂ  サーバコンピュータ（データベース）からの適正露光量の情報
７  ＤＴＰ作業用パーソナルコンピュータ
８  ＤＴＰ工程からのデータがラスタライズされたデータ、およびサーバコンピュータ（データベース）からの適正露光量の情報をもとにした出力機の露光量の制御信号
２１  インターネットに接続されたパーソナルコンピュータ
【図１】
2005208381.tif 000003
【図２】
2005208381.tif 000004